(57)【要約】【課題】２本針または３本針以上の釣針に釣糸を装着する作業を容易にする。【解決手段】釣糸の一端に結び目を形成し、あるいは留め金具を取り付け、次に、釣糸の結び目あるいは留め金具に近い部分をスリット１３に通し、その後に、釣糸の他端を孔部１５へ通す。これにより、釣糸の結び目あるいは留め金具は、スリット１３に係止される。このようにして、釣糸を装着する作業が容易に行われる。また、釣糸の他端は孔部１５へ通されるので、針の正しい姿勢が維持される。さらに、釣糸の他端が上方へ引っ張られると、釣糸はスリット１３に対して正しく上方へ引っ張られ、結び目あるいは留め金具のスリット１３への係止は、より強く行われ、外れない。【選択図】図１
2009213396.tif 000002
【特許請求の範囲】
【請求項１】
２本針または３本針以上の釣針であって、２つまたは３つ以上のフック部が複数に分岐する分岐部分に形成されたスリットと、共通のジクの上端に形成され釣糸を通すことができる孔部と、を有することを特徴とする釣針。
【請求項２】
前記共通のジクの部分が真っ直ぐで上端が尖った尖形部分を有することを特徴とする請求項１に記載の釣針。
【請求項３】
請求項１、または２に記載の釣針を用いて、釣糸であるハリスの一端に結び目を形成し、あるいは留め金具を取り付ける手順と、前記ハリスの前記結び目あるいは留め金具に近い部分を前記スリットに通す手順と、前記ハリスの他端を前記孔部へ通す手順とを有することを特徴とする釣針に釣糸を装着する方法。
【発明の詳細な説明】
【技術分野】
【０００１】
この発明は、釣糸に釣針を装着するための構造及び方法に関する。
【背景技術】
【０００２】
一般的に、釣糸に釣針を装着するには、釣糸を釣針に結びつける。釣針は、一般に全体が略Ｊ字状をしており、先端の針先から下方へ向かい、大きく湾曲してフック部を形成し、次に上方へ向かってジクと呼ばれる直線部を形成し、このジクの上端はチモトと呼ばれ釣糸が巻きつけられ結びつけられ、その直上には耳などと呼ばれる小さな屈曲部が設けられ、結ばれた釣糸の抜けが図られる。
【０００３】
なお、通常の１本針では、下記の特許文献１に示すような釣針が提案されている。すなわち、釣針のジクと呼ばれる直線部に沿って、釣糸を通すトンネル状の孔を形成し、釣糸の端部の結び目を、この孔の下端の開口に当接させる。この当接によって、釣糸から釣針は外れることはなく、装着できる。
【特許文献１】特開平10-201397
【発明の開示】
【発明が解決しようとする課題】
【０００４】
しかしながら、一般的な方法で釣針に釣糸を巻きつけて結ぶ作業は面倒である。
特に、２本針または３本針以上の釣針は、フック部が複数に分岐するので、釣糸を巻きつけて結ぶ作業時に、複数の釣糸の先端が手に刺さり易く、作業は特に面倒である。
この発明は、以上の問題点を解決するために、２本針または３本針以上の釣針に釣糸を装着する作業が容易な釣針、および釣針に釣糸を装着方法を提供することを目的とする。
【課題を解決するための手段】
【０００５】
以上の課題を解決するために、第一発明は、２本針または３本針以上の釣針であって、２つまたは３つ以上のフック部が複数に分岐する分岐部分に形成されたスリットと、共通のジクの上端に形成され釣糸を通すことができる孔部と、を有することを特徴とする釣針である。
第二発明は、さらに、前記共通のジクの部分が真っ直ぐで上端が尖った尖形部分を有することを特徴とする釣針である。
第三発明は、第一発明、または第二発明の釣針を用いて、釣糸であるハリスの一端に結び目を形成し、あるいは留め金具を取り付ける手順と、前記ハリスの前記結び目あるいは留め金具に近い部分を前記スリットに通す手順と、前記ハリスの他端を前記孔部へ通す手順とを有することを特徴とする釣針に釣糸を装着方法である。
【発明の効果】
【０００６】
第一、第二、又は第三発明によれば、まず、釣糸の一端に結び目を形成し、あるいは留め金具を取り付け、次に、釣糸の結び目あるいは留め金具に近い部分をスリットに通し、その後に、釣糸の他端を孔部へ通す。これにより、釣糸の結び目あるいは留め金具は、スリットに係止される。このようにして、２本針または３本針以上の釣針に、釣糸を装着する作業が容易に行われる。  
また、釣糸の他端は孔部へ通されるので、針の正しい姿勢が維持される。さらに、釣糸の他端が上方へ引っ張られると、釣糸はスリットに対して正しく上方へ引っ張られ、結び目あるいは留め金具のスリットへの係止は、より強く行われ、外れない。
【０００７】
第二、又は第三発明によれば、さらに、ジクの部分が真っ直ぐで上端が尖った尖形部分を有するので、この尖形部分から餌やソフトルアー等に逆方向へ刺し貫き、この貫いた部分の孔部分に予め釣糸を通しておくことにより、餌やソフトルアー等をできるだけ傷つけないで、しっかりと釣糸を装着することが可能である。
【発明を実施するための最良の形態】
【０００８】
釣針１は、２本針で、ジク３の部分を共通にし、フック部５が２つに分岐した形状を有する。すなわち、フック部５は、略Ｊ字状をしており、先端の針先７にはカエシ９を有する。針先７から下方へ向かい、大きく湾曲してフック部５を形成し、次に上方へ向かってジク３と呼ばれる直線部を、他のフック部５と共有する。
【０００９】
フック部５が複数に分岐する分岐部分１１には、スリット１３が形成される。スリット１３は、分岐部分１１から上方へ向かって直線的に形成される。
そして、共通のジク３の上端には、孔部１５が形成され、釣糸であるハリス１７が通される大きさを有する。また、ジク３の部分は真っ直ぐで、最上端が三角形状の尖った尖形部分１９を有する。
【００１０】
［手順］
釣糸に釣針１を装着する手順は、次のようになる。
この実施形態において、釣糸は、釣針１を装着する部分だけに用いられるハリス１７である。まず、ハリス１７の一端１７Ａに結び目２１を形成する。次に例えば、ハリス１７の結び目２１に近い部分をスリット１３に通す。その後に、ハリス１７の他端１７Ｂを孔部１５へ通す（図１）。これにより、ハリス１７の結び目２１は、スリット１３に係止される。このようにして、２本針の釣針１に、ハリス１７を装着する作業が容易に行われる。
【００１１】
そして、ジク３の尖形部分１９から、餌の小魚２３に下から上方向へ刺し貫き、この貫いた部分の孔部１５に予め通しておいたハリス１７を、餌やソフトルアー等の刺し貫いた部分から上方へ引き上げる（図３）。この引き上げたハリス１７に、釣糸の道糸を、サルカンなどと呼ばれる金具を介して、取り付ける。
【００１２】
「実施形態の効果」
この実施形態によれば、上記のように装着がなされた後に、ハリス１７の他端１７Ｂが上方へ引っ張られると（図２）、ハリス１７は孔部１５にガイドされて、スリット１３に対して正しく上方へ引っ張られ、結び目２１のスリット１３への係止は、より強く行われ、外れない。また、釣糸の他端は孔部１５へ通されるので、針１の正しい姿勢が維持される。
【００１３】
さらに、ジク３の尖形部分１９から餌やソフトルアー等に刺し貫くことで、餌やソフトルアー等をできるだけ傷つけないで、しっかりとハリス１７がついた釣針を装着することが可能である（図３）。
【００１４】
「他の実施形態」
以上の実施形態では、ハリス１７の他端が上方へ引っ張られた際に、スリット１３に対し係止するのは、ハリス１７の結び目２１であったが、他の実施形態では、留め金具でも良い。すなわち、ハリス１７の一端に結び目を形成する代わりに、ハリス１７の一端に留め金具を取り付けても良い。
【００１５】
また、以上の実施形態では、釣針１は、２本針であり２つフック部５を有するものであったが、他の実施形態では、３本針以上の立体的な形状を有する釣針で３つ以上のフック部を有するものであっても良い。
また、以上の実施形態では、ハリスを用いていたが、他の実施形態で、ルアー釣りの場合などのようにハリスを用いない場合には、例えば、以下のようにできる。すなわち、まず、出願人が既に出願した特願２００８−０４５４６５の釣針装着道具などを利用して、道糸を先にソフトルアー等に通しておき、この通した道糸の端に結び目を形成する。次に、道糸を孔部１５へ通す。そして、スリット１３に通す。その後に、道糸をひっぱる。これにより、道糸の結び目は、スリット１３に係止される。このようにして、釣針１に、道糸を装着する作業が容易に行われる。そして、道糸を引きながら釣針をソフトルアー等に刺し装着させる。
なお、ジク３の尖形部分１９が、餌の小魚２３を下から上方向へ刺し貫けない場合なども、上の方法で装着させうる。
【図面の簡単な説明】
【００１６】
【図１】この発明の第一実施形態を示す釣針で、釣糸を装着する途中の状態を示す図である。
【図２】図１の装着が行われた釣針を示す図である。
【図３】図２の釣針に餌の小魚を装着した状態を示す図である。
【符号の説明】
【００１７】
１…釣針、３…ジク、５…フック部、７…針先、９…カエシ、１１…分岐部分、１３…スリット、１５…孔部、１７…ハリス（釣糸）、１９…尖形部分、２１・・結び目。
【図１】
2009213396.tif 000003
【図２】
2009213396.tif 000004
【図３】
2009213396.tif 000005